(57)【要約】【課題】情報信号の高密度記録を実現しながら、正確にアドレス情報が検出できる光記録媒体を容易に製造する。提供する。【解決手段】ウォブルしたグルーブ１を有するとともに、隣接するグルーブ１間に連なるように、アドレス情報情報を示す複数の溝２を半径方向に形成する。【選択図】　図１
2004030911.tif 000002
【特許請求の範囲】
【請求項１】
ウォブルしたグルーブを有するとともに、隣接するグルーブ間に連なるように複数の溝が半径方向に形成されていることを特徴とする光記録媒体。
【発明の詳細な説明】
【発明の属する技術分野】
本発明は、ウォブルしたグルーブを有する光記録媒体に関し、情報信号を高密度に記録することを可能とした新規な光記録媒体に関する。
【０００１】
【従来の技術】
例えば、いわゆるコンパクトディスク・レコーダブルシステム（ＣＤ−Ｒ）に用いられるＣＤ−Ｒディスクは、ウォブルしたグルーブを有し、アドレス情報を含むセクター情報は、ウォブル信号の変調で記録されている。
【０００２】
すなわち、ＣＤ−Ｒ記録再生装置においては、グルーブ上に集光させた記録再生用の光ビームによって、例えば２２ｋＨｚを搬送波とするウォブル信号を検出し、アドレス情報を含むデータ列はその信号をＦＭ復調することによって検出される。
【０００３】
セクターの先頭にアドレスを配置する方式では、アドレス情報と記録情報を時分割で記録することになり、記録した信号が不連続となってしまうが、この方式では、連続にデータを記録することが可能であり、信号が連続的に記録されている再生専用ディスクとの互換性を重視する用途において有用性が高い。
【０００４】
【発明が解決しようとする課題】
ところで、ウォブル信号の変調でアドレス情報を記録する方法では、隣接するグルーブ間の距離であるトラックピッチを狭くすると、隣接グルーブからのウォブル信号の漏れ込みが大きくなり、ウォブル信号のＳ／Ｎ比が低下し、アドレス情報の復調が正しくできなくなるばかりか、ディスクの回転制御に必要なウォブル信号の搬送波の検出も困難となり、その場合にはディスクの回転制御にも支障をきたす。
【０００５】
高密度に信号を記録するためには、トラックピッチを狭くする必要があるため、狭いトラックピッチでも正確にアドレス情報を再生することが課題となる。
【０００６】
上述の方式においては、再生したアドレス情報によって得られる記録再生用の光ビームのスポットのディスク上での位置精度は、搬送波の周波数に依存し、およそ搬送波の波長のオーダーである。一方、搬送波の周波数、すなわちウォブリングの周波数は、記録信号に悪影響を与えないように、比較的低い周波数を選択する必要がある。ＣＤ−Ｒの例で言えば、２２ｋＨｚであり、ディスク上での波長は５４μｍである。
【０００７】
データを連続的ではなく間をおいて記録し、さらに後から未記録部分にデータを記録する場合には、ディスク上の正確な位置にデータを記録する必要がある。正確に記録できない場合には、記録するデータの単位毎に、記録位置の誤差を吸収するための、いわゆるギャップを設け、記録データ同士の重複を避ける必要がある。
【０００８】
ギャップは、ディスクに記録可能な容量を減少させるので、その長さは極力小さくする必要があるが、先に述べた精度では不十分である。
【０００９】
本発明は、このような従来の実情に鑑みて提案されたものであって、狭いトラックピッチにおいてもアドレス情報やディスクの回転制御情報を正確に得ることが可能で、信号を高密度に記録することが可能な光記録媒体を提供することを目的とする。
【００１０】
【課題を解決するための手段】
上述の目的を達成するために、本発明に係る光記録媒体は、ウォブルしたグルーブを有するとともに、隣接するグルーブ間に連なるように複数の溝を半径方向に形成したものである。
隣接するグルーブ間に連なるように形成される複数の溝は、アドレス情報を示すものと用いられる。
【００１１】
本発明に係る光記録媒体は、狭いトラックピッチにおいても、アドレス情報や光記録媒体の回転制御情報が正確に得られ、信号記録の高密度化が図られる。
【発明の実施の形態】
以下、本発明に係る光記録媒体を具体的に説明する。本発明に係る光記録媒体は、ウォブルしたグルーブを有するとともに、これらグルーブ間の領域に所定間隔でピットが形成されているものであり、グルーブのウォブル信号とピットのピット信号の併用により信号の高密度記録を可能とするものである。
【００１２】
上記ピットは、グルーブとグルーブの間の領域、すなわちランド部に形成され、その形状は、通常のピットであってもよいし、グルーブとグルーブを繋ぐランド部の切り欠き、すなわち溝として隣接するグルーブ間に連なって形成されてもよい。
【００１３】
このピットは、通常、シンクピットやアドレスピット等を含むセクター情報を有しており、このセクター情報によってアドレス情報等が得られるようにするが、本願発明の場合には、必ずしもこのようなセクター情報が存在しなくともよく、また、シンクピットのみ、あるいはアドレスピットのみを有するものであってもよい。なお、シンクピットは、セクター情報の開始位置を示すピットであり、例えば近接して配置された２個のピットや、他のピットとはピット長の異なるピットとして形成され、他のピットとは区別して検出することが可能である。
【００１４】
一方、グルーブは、単一周波数のウォブル信号を有するものであってもよいし、変調により同期信号やアドレスデータが記録されたセクター情報を有するものであってもよい。
【００１５】
セクター情報は、記録データのセクター、又は記録データセクターの集合であるクラスタに関連付けられた情報であり、同期信号、又はアドレスデータ、あるいは同期信号とアドレスデータの両者を有する。これらの組み合わせも任意であり、例えば、単一周波数のウォブル信号を有するグルーブとシンクピット、アドレスピットの組み合わせ、変調で同期信号、アドレスデータ等のセクター情報が記録されたウォブル信号を有するグルーブとシンクピット、アドレスピットの組み合わせ、変調でセクター情報が記録されたウォブル信号を有するグルーブと一定間隔のピットの組み合わせ等が挙げられる。
【００１６】
上述の組み合わせのうち、例えば単一周波数のウォブル信号を有するグルーブとシンクピット、アドレスピットの組み合わせを採用した場合には、これらシンクピットやアドレスピットにより確実に同期情報、アドレス情報が得られるとともに、ウォブル信号によりディスクの回転制御情報を正確に得ることが可能である。
【００１７】
ウォブル信号を単一周波数の信号とすると、隣接グルーブからの漏れ込み信号が大きくなっても、その漏れ込み信号が本来検出するべき信号と正確に同じ周波数であるため、漏れ込みの影響は、検出されるウォブル信号において振幅のゆっくりとした変化となるのみで、したがって検出すべき単一周波数は容易に検出される。
【００１８】
また、変調で同期信号やアドレスデータを含むセクター情報が記録されたウォブル信号を有するグルーブと、シンクピット、アドレスピットの組み合わせを採用した場合には、同期情報やアドレス情報がグルーブとピットの両方に２重に記録されることになり、精度や信頼性が増す。
【００１９】
以上のようなグルーブとピットとを組み合わせる場合、ピットの位置をグルーブに対してランダムに形成すると、ピットの位置によって得られる再生信号のレベルが変動し、正確にピットを検出することが難しくなるおそれがある。あるいは、これらを再生するための再生装置におけるクロック発生回路が複雑化するという問題もある。
【００２０】
そこで、これを解消するために、例えばウォブル周波数ｆｗ（平均周波数）とピット周波数ｆｐとの関係を、下記の式（１）で示すように整数関係にすることが好ましい。
【００２１】
Ｍ×ｆｗ＝Ｎ×ｆｐ（但し、Ｍ、Ｎは整数である。）　・・・・（１）
これは、言い換えれば、ウォブル周期Ｔｗとピット周期Ｔｐとの関係を下記の式（２）に示す整数関係とすることである。
【００２２】
Ｍ×Ｔｗ＝Ｎ×Ｔｐ（但し、Ｍ、Ｎは整数である。）　・・・・（２）
なお、ウォブル周期Ｔｗは、ウォブルの平均周期であり、ピット周期Ｔｐは、ピットを所定の間隔の整数倍の間隔で記録する場合の、その所定の間隔である。例えば、連続する２個のピットをシンクピットとした場合のピット周期Ｔｐは、その連続する２個のピットを１個のピットと見なし、これら２個のピット間の周期は無視することにする。
【００２３】
このようにウォブル周波数ｆｗとピット周波数ｆｐとが整数関係とすれば、基準クロックを１つにしたり、電圧制御発振器ＶＣＯを１つにすることが可能になり、記録再生装置のクロック発生回路を簡易なものとすることができる。
【００２４】
また、ＰＬＬを利用してウォブル信号からピット周期に同期した信号を生成することが可能となり、その結果、正確にピットを検出することができる。
【００２５】
あるいは、ウォブルとピットの位相を合わせることで、正確にピットを検出するようにしてもよい。
【００２６】
すなわち、ピットの位置をウォブルの一定位相に対応させ、ウォブル量（グルーブの蛇行量）が一定となる位置にピットを形成することにより、ピット検出信号を安定にさせることができ、正確にピットを検出することが可能になる。
【００２７】
この場合、図１に示すように、グルーブＧのウォブル中心位置（ウォブル量が最小となる位置）に対応してピットＰを形成する。あるいは、図２に示すように、ウォブル量が略最大となり且つ隣接するグルーブに対して近接する位置にピットＰを形成してもよい。前者の場合、他のグルーブからのクロストークが最小となり、後者の場合、ウォブル信号成分を除去せずに信号レベルのみでピットを検出することができる。
【００２８】
また、ウォブル信号に同期情報やアドレス情報等を含んだセクター情報が記録され、ピットもシンクピット、アドレスピット等のセクター情報を有する場合には、これらセクター情報、特にシンクピットとウォブル信号の同期信号の位置関係を一定にすることが好ましい。例えば、再生方向において、シンクピットの手前の１ピット周期以内にウォブルによる同期信号を記録する。
【００２９】
このように、ウォブル信号からピットアドレスの同期部の位置を予め知ることにより、より正確にピットアドレスの同期を検出することが可能となり、その結果、ピットアドレスの読み取りがより確実となる。
【００３０】
上述の光記録媒体に対して記録再生を行う場合には、ウォブルしたグルーブから検出した信号を用いてディスクの回転を制御し、ランド部のピットから検出した情報により、記録信号のディスク上での位置を制御する。
【００３１】
このとき、ウォブル信号とピットの信号を、プッシュプル法を用いて一つのビームスポットで同時に読み出すようにすれば、記録再生装置の簡略化が実現できる。
【００３２】
【実施例】
以下、本発明を適用した具体的な実施例について、図面を参照しながら詳細に説明する。
【００３３】
実施例１
本実施例の光ディスクは、波長６３５ｎｍのレーザ光で記録が可能な有機色素の記録膜を持つ直径を１２ｃｍとする追記型ディスクである。
【００３４】
この光ディスクの記録膜が形成されるディスク基板は、ポリカーボネートを射出成形して形成され、案内溝（グルーブ）と、グルーブ間のランド部とが形成されている。
【００３５】
上記グルーブは、幅約０．２５μｍ、深さ約７０ｎｍであり、グルーブ間隔（トラックピッチ）約０．７４μｍで内周から外周まで連続したスパイラルとして形成されている。
【００３６】
また、上記グルーブには、ディスクの回転数と記録信号のクロック周波数を制御するための情報として、単一周波数のウォブル信号が記録されている。なお、ウォブルとは、グルーブをディスクの半径方向に僅かに蛇行させることである。
【００３７】
本例においては、蛇行幅は２０ｎｍ、蛇行周期は約３０μｍである。したがって、このディスクを線速度３．５ｍ／秒で回転させ、ウォブル信号を再生すると、その周波数は約１２０ｋＨｚとなる。
【００３８】
一方、グルーブとグルーブの間のランド部には、アドレス情報を記録するピット（アドレスピット）として、幅約０．３μｍで、深さがグルーブと同じ約７０ｎｍの溝が形成されている。
【００３９】
図３は、上述のグルーブとアドレスピットを模式的に示すもので、本例では、ウォブルするグルーブ１の間の領域に、所定の間隔でアドレスピット２が形成されている。各アドレスピット２は、隣接するグルーブ間に連なり、ディスクの半径方向の溝として形成されている。
【００４０】
上記アドレスピットは、本例では約０．２ｍｍ間隔で、情報の１／０に対応して形成されている。すなわち、情報１に対応する位置にはアドレスピットが有り、情報０に対応する位置にはアドレスピットは無い。したがって、アドレスピットの有無が情報の１／０に対応する。
【００４１】
図４は、グルーブに沿ってビームスポットＢを走査したときに得られる信号を示すものある。具体的には、内周側のアドレスピットによるパルスと、これとは逆の極性を有する外周側のアドレスピットによるパルスとが得られる。したがって、これらのいずれか一方に基づいてアドレス情報を検出すればよい。
【００４２】
この記録方式では、情報の０が連続すると、アドレスピットが記録されない状態が連続し、アドレスピットの検出が困難となることが予想され、本実施例では、記録する情報を予め，いわゆるバイフェイズ変調し、０の連続は最大２ビットとしている。
【００４３】
但し、同期信号の中には、同期信号の検出を容易にするため、０００１１１という変調規則外のパターンを設けるので、同期信号区間には、３チャンネルビット連続してアドレスピットが記録されない部分がある。
【００４４】
図５に同期パターンとデータビットの変調の例を示す。同期パターンは、０１１０００１１１０００１１１０であり、既に説明したように、変調規則外の３チャンネルビット連続の０及び１が含まれている。
【００４５】
データビットは、０は１−０、１は０−１と変調されており、したがって、データ部分には３チャンネルビット以上の１の連続、０の連続は含まれていない。
【００４６】
一方、図６がセクター情報の記録フォーマットの一例である。合計２０８チャンネルビット（ｃｈａｎｎｅｌ　ｂｉｔ）でセクター情報は構成されており、先頭の１６チャンネルビットが同期パターンであり、８バイト（ｂｙｔｅ）のアドレスデータに４バイトのリードソロモン符号のエラー訂正のためのパリティを付加している。
【００４７】
この記録フォーマットでは、４バイトのパリティによって２バイトまで訂正可能であるので、２０８チャンネルビットのセクター情報のうち、任意の位置の２チャンネルビットが誤っていても、アドレスデータを正しく検出することができる。
【００４８】
次に、上述のように構成された光ディスクの信号再生について説明する。なお、ここでは、グルーブのウォブル信号とピットのアドレス信号を、プッシュプル法を用いて一つのビームスポットで同時に読み出す方法について説明する。
【００４９】
図７は、信号再生回路のブロック図である。図３において、グルーブ１上に集光されたビームスポットＢからの戻り光を、４分割のＰＩＮダイオードＡ，Ｂ，Ｃ，Ｄをディテクタとして光電変換し、これをＩ−Ｖ変換して４分割された各々のダイオードに対応する信号Ａ，Ｂ，Ｃ，Ｄを得る。
【００５０】
これら信号のうち、信号Ａ，Ｂ，Ｃ，Ｄを加算したもの（Ａ＋Ｂ＋Ｃ＋Ｄ）が、記録された信号の再生信号であり、等化回路１１で記録再生の周波数特性を補償した後、２値化回路１２によって２値化することにより再生データが得られ、位相比較器１３と電圧制御発振器（ＶＣＯ）１４とによって構成したＰＬＬ回路により、この２値化データから再生データのクロックを得る。
【００５１】
一方、上記信号Ａ，Ｂ，Ｃ，Ｄを利用して（Ａ−Ｂ）＋（Ｃ−Ｄ）なる演算を行うと、非点収差方式のフォーカス誤差信号が得られる。
【００５２】
このフォーカス誤差信号は、位相補償回路１５を経てフォーカス駆動回路１６に送られ、このフォーカス駆動回路１６から対物レンズの焦点位置を制御するフォーカス駆動信号が出力される。
【００５３】
また、上記信号Ａ，Ｂ，Ｃ，Ｄを利用して（Ａ＋Ｂ）−（Ｃ−Ｄ）なる演算を行うと、いわゆるプッシュプル方式のトラッキング誤差信号が得られる。この信号は、グルーブとビームスポットＢの半径方向の相対位置に対応した信号であるから、グルーブのウォブル信号も同時に再生される。さらに、アドレスピットが記録された位置でも、アドレスピットがグルーブに対してディスクの内周側であるか外周側であるかに応じて、プラスあるいはマイナスのパルスが検出され、これも信号（Ａ＋Ｂ）−（Ｃ−Ｄ）に含まれる。
【００５４】
そこで、先ず、この信号（Ａ＋Ｂ）−（Ｃ−Ｄ）をローパスフィルタ（ＬＰＦ）１７を通してトラッキング誤差信号のみを取り出し、これを位相補償回路１８を介してトラッキング駆動回路１９に送り、トラッキング駆動信号を出力する。
【００５５】
また、アドレスピットによって発生するパルス信号を検出するためには、ウォブル信号の影響や、ウォブルの蛇行等による低周波数帯域のノイズの影響を避けるため、１３０ｋＨｚ以下の信号を抑圧するハイパスフィルタ（ＨＰＦ）２０を用いる。
【００５６】
ウォブル信号は、狭い帯域の信号であるから、その帯域を通過させるバンドパスフィルター（ＢＰＦ）２１を用いることによって、良好なＳ／Ｎのウォブル信号を得ることができる。得られたウォブル信号は、２値化回路２２によって２値化し、この２値化データを周波数比較回路２３において基準周波数と比較することで、スピンドルモータ制御信号を得る。
【００５７】
以上説明したように、本実施例では、１つの４分割ＰＩＮダイオードにより信号再生に必要な全ての信号を得ることが可能である。
【００５８】
実施例２
本例では、ウォブルとピットの様々な組み合わせについて説明する。
【００５９】
先ず、第１の例は、単一周波数のウォブルと、このウォブル信号の周波数と整数関係にあるようにピットを形成した例である。
【００６０】
この場合、得られる信号は、図８に示すようなものとなり、ウォブル信号Ｓｗの周期Ｔｗの整数倍の間隔、すなわちピット周期Ｔｐのさらに整数倍の間隔でピット信号Ｓｐが検出される。
【００６１】
第２の例は、変調されたウォブル信号に対して位相を合わせてピットを形成した例である。本例は、ウォブル量が略最大となり且つ隣接するグルーブに対して近接する位置にピットを形成した例であり、図９に示すように、ピット信号Ｓｐがウォブル信号Ｓｗの頂点に位置し、ピット信号Ｓｐの信号レベルのみでピットが検出される。
【００６２】
図９において、ピット信号Ｓｐは、トラッキング中のグルーブの内周側に配置されたピットにより生成されたピット信号であり、一方、ピット信号Ｓｐ´は、前記グルーブの外周側に配置されたピットにより生成されたピット信号である。
【００６３】
なお、先の実施例１では、ピット信号からウォブル信号をハイパスフィルターにより除去した後、ピット信号を検出しているが、本例でのハイパスフィルターは、ウォブル信号を通過させ、ウォブル信号を含むピット信号Ｓｐを検出レベルＬと比較することによりピットが検出される。これは、ウォブル信号の周波数帯域とピット信号の周波数帯域が近い場合、ハイパスフィルターによる周波数分離が困難な場合が想定されるからである。
【００６４】
また、本例では、グルーブの内周側のピットは、そのグルーブが内周側に略最大の量ウォブルした位置に記録してある。この場合、外周側のピットは、外周側の隣接グルーブが内周側に略最大量ウォブルした位置に記録されることになる。
【００６５】
隣接グルーブ間のウォブル信号は必ずしも一致しないため、図９に示すように、内周側のピットによるピット信号Ｓｐがウォブル信号が一定の値になる位置に位置しても、別のグルーブに関連付けられて記録された外周側のピットによるピット信号Ｓｐ´は、ウォブル信号とは無関係に位置することになる。
【００６６】
図９に示すように、ウォブル信号と無関係に位置した外周側ピットによるピット信号Ｓｐ´のピーク値がピット毎に変動するのに対して、ウォブル量が一定となる位置に記録された内周側ピットによるピット信号Ｓｐのピーク値は一定である。
【００６７】
ピーク値が一定である場合、例えば、ピット信号の振幅が変動しても簡単なピークホールド回路によりピーク値が容易に検出可能であり、その検出したピーク値を利用して、ピット検出レベルを最適値に保ち、安定したピットの検出が可能である。これは、ウォブル量がほぼ一定となる位置にピットが形成された場合に得られる利点である。
【００６８】
さらに、本例では、ピット信号Ｓｐはウォブル信号Ｓｗの頂点に位置するため、検出レベルの許容変動幅が最も大きくなる。このことが、ウォブル量がほぼ最大であり且つ隣接するグルーブに対して近接する位置にピットが形成された場合の利点である。
【００６９】
図１０は、ウォブル信号に同期信号Ｓｗｓを記録し、これをシンクピットＳｓｐと組み合わせた例である。
【００７０】
この場合には、ウォブル信号の同期信号ＳｗｓからシンクピットＳｓｐの位置を予め知ることができ、より確実にシンクピットＳｓｐが検出される。
【００７１】
このように、ウォブルとピットに関しては、種々の組み合わせが考えられるが、これらの組み合わせによって、次のような利点が生ずる。
【００７２】
先ず、ウォブルとピットの位相を合わせて形成した場合について説明する。
【００７３】
図１１は、このような光ディスクから得られる再生信号を示すもので、この再生信号はウォブル信号Ｓｗとピット信号Ｓｐとからなる。ここで、ピット信号にはノイズ成分Ｓｎが含まれているとする。
【００７４】
一方、図１２は、これらウォブル信号とピット信号を再生するための再生装置のブロック図である。
【００７５】
この再生装置では、ウォブル信号Ｓｗは、バンドパスフィルタ３１を介して２値化回路３２に供給され、一方、ピット信号Ｓｐは、ハイパスフィルタ３３を介して２値化回路３４に供給され、それぞれ２値化される。
【００７６】
このとき、２値化回路３４からは、図１１（Ｂ）に示すように、各ピット信号Ｓｐ及びノイズ成分Ｓｎが出力される。
【００７７】
ウォブル信号Ｓｗは、さらに位相比較回路３５へと送られ、電圧制御発振器３６の発振周波数を１／１００分周回路３７及び１／Ｍ分周回路３８によって１／（Ｍ＊１００）分周された信号と位相比較される。位相比較回路３５によって検出された位相情報により電圧制御発振器３６を制御することにより、フェイズロックドループが形成され、その結果、ウォブル信号周波数Ｆｗの（Ｍ＊１００）倍の周波数Ｆｏが電圧制御発振器３６から出力される。
【００７８】
ウォブル周波数Ｆｗとピット周波数ＦｐとがＦｗ＊Ｍ＝Ｆｐ＊Ｎの関係にあるとすると、電圧制御発振器３６の発振周波数Ｆｏは、Ｆｏ＝Ｆｗ＊（Ｍ＊１００）＝Ｆｐ＊（Ｎ＊１００）であるから、ピット周波数Ｆｐの（Ｎ＊１００）倍の周波数となる。
【００７９】
したがって、電圧制御発振器３６の出力を１／（Ｎ＊１００）カウンタ３９で分周することによって、図１１（Ｃ）に示す位相情報が得られ、ピットパルス検出・補間回路４０へ出力される。
【００８０】
そして、この図１１（Ｃ）に示す位相情報と２値化回路３４からの出力のアンドをとることによって、図１１（Ｄ）に示すように、ノイズ成分Ｓｎがキャンセルされ、本来のピット信号Ｓｐのみが検出され、図１１（Ｅ）に示すピットデータクロックや図１１（Ｆ）に示すピットデータが出力される。
【００８１】
この例のように、ウォブル周波数Ｆｗとピット周波数ＦｐとがＦｗ＊Ｍ＝Ｆｐ＊Ｎ（Ｍ、Ｎは整数）の関係にあるときは、ウォブル信号からフェイズロックドループによって、ピット周期で位相情報を得ることが可能であり、正確なピットアドレスの検出が可能である。
【００８２】
次に、ウォブル信号に同期信号（シンク）を記録し、これをシンクピットと組み合わせた例について説明する。
【００８３】
図１３において、（ａ）に示すウォブル信号は、ＦＭ変調されており、これを復調した結果が（ｂ）である。一方、プリピットのシンクを（ｃ）に示すようにウォブルのシンクの直後に配置することで、ウォブルのシンクを検出後、プリピットのシンクを検出することができる。
【００８４】
ウォブル自体の位置的な精度は、プリピットほど正確ではないが、プリピットとは違う系でプリピット保護のための仕組みを作ることで、プリピット信号自体の安全性を向上させることが可能である。
【００８５】
また、ゲート以外の使用方法として、図１４に示すように、プリピット列の先頭判別信号をウォブルで入れることも可能である。
【００８６】
この結果、シンクパターンをプリピットで形成する必要がなく、プリピット情報を増加させることが可能である。また、プリピットシンクパターンの検出も不要なため、回路節減が可能であり、制御系が２重になるため信頼性が増す。
【００８７】
【発明の効果】
上述したように、本発明に係る光記録媒体は、ウォブルしたグルーブを有するとともに、隣接するグルーブ間に連なるように、アドレス情報情報を示す複数の溝を半径方向に形成しているので、アドレス情報情報を記録した光記録媒体を容易に製造することができる。
【図面の簡単な説明】
【図１】本発明が適用されるる光ディスクにおいて、ウォブル中心にピットを配置した例を示す模式図である。
【図２】本発明が適用される光ディスクにおいて、ウォブル量が最大で隣接グルーブに近接する位置にピットを形成した例を示す模式図である。
【図３】本発明を適用した光ディスクにおけるグルーブとピットの一例を模式的に示す要部概略平面図である。
【図４】ピットから得られるパルス信号を示す波形図である。
【図５】同期パターンとデータビットの変調例を示す図である。
【図６】アドレス情報の記録フォーマットの一例を示す図である。
【図７】信号再生回路の一例を示す回路図である。
【図８】ウォブル信号とピット信号の周波数を整数関係にしたときの再生信号の一例を示す波形図である。
【図９】ウォブル信号とピット信号の位相を合わせたときの再生信号の一例を示す波形図である。
【図１０】ウォブルとピットの両者に同期信号を記録したときの再生信号の一例を示す波形図である。
【図１１】ウォブル信号とピット信号の位相を合わせたときのタイミングチャートである。
【図１２】再生装置における再生回路の一例を示すブロック図である。
【図１３】ウォブルとピットの両者に同期信号を記録したときのタイミングチャートである
【図１４】プリピット列の先頭判別信号をウォブルで入れた場合のタイミングチャートである。
【符号の説明】
１グルーブ、　２　ピット
【図１】
2004030911.tif 000003
【図２】
2004030911.tif 000004
【図３】
2004030911.tif 000005
【図４】
2004030911.tif 000006
【図５】
2004030911.tif 000007
【図６】
2004030911.tif 000008
【図７】
2004030911.tif 000009
【図８】
2004030911.tif 000010
【図９】
2004030911.tif 000011
【図１０】
2004030911.tif 000012
【図１１】
2004030911.tif 000013
【図１２】
2004030911.tif 000014
【図１３】
2004030911.tif 000015
【図１４】
2004030911.tif 000016